(57)【要約】【課題】電子カルテの内容を容易に把握できるようにして診療を効率化する。【解決手段】診療支援システム１００は、医師端末１とサーバ２とデータベース３を含む。データベース３は、各患者の電子カルテデータ１１ｃ（Ｄ）を格納する。医師端末１は、表示部１３、操作部１２、シェーマ図のサムネイルを作成するサムネイル作成部１４、制御部１０を有する。制御部１０は、電子カルテデータ１１ｃの傷病名情報を診療情報表示画面２０００の傷病名表示部２００１に表示させ、視力値情報や眼圧情報を検査情報表示部２００３に表示させ、シェーマ図のサムネイルをサムネイル表示部２００７に表示させる。表示されたサムネイルのうちの１つが操作部１２により選択指定されると、制御部１０は、そのサムネイルに対応するシェーマ図をシェーマ図表示部２００５に表示させる。【選択図】      図１
2007094471.tif 000002
【特許請求の範囲】
【請求項１】
少なくとも傷病名情報、検査情報及び複数のシェーマ図を各患者ごとの診療情報として格納する格納手段と、
表示手段と、
操作手段と、
前記各患者ごとの診療情報を所定の表示形式で呈示する診療情報表示画面を、前記表示手段に表示させる制御手段と、
を有する診療支援システムであって、
前記複数のシェーマ図のそれぞれのサムネイルを作成するサムネイル作成手段を備え、
前記制御手段は、
前記診療情報の傷病名情報を前記診療情報表示画面の第１の表示領域に表示させ、前記検査情報を前記診療情報表示画面の第２の表示領域に表示させ、前記作成された複数のサムネイルを前記診療情報表示画面の第３の表示領域に表示させるとともに、
前記第３の表示領域に表示された複数のサムネイルのうちの１つが前記操作手段により選択指定されたときに、当該選択指定されたサムネイルに対応するシェーマ図を前記診療情報表示画面の第４の表示領域に表示させる、
ことを特徴とする診療支援システム。
【請求項２】
シェーマ図の雛形画像をあらかじめ記憶した雛形記憶手段を更に備え、
前記制御手段は、
前記表示手段に患者のリストを表示させ、
該リストから１人の患者が前記操作手段により選択指定されたことに対応して、当該選択指定された患者の診療情報を呈示する前記診療情報表示画面を前記表示手段に表示させ、該診療情報表示画面の前記第４の表示領域に前記雛形画像を表示させる、
ことを特徴とする請求項１に記載の診療支援システム。
【請求項３】
前記制御手段は、
前記表示手段に患者のリストを表示させ、
該リストから１人の患者が前記操作手段により選択指定されたことに対応して、当該選択指定された患者の診療情報を呈示する前記診療情報表示画面を前記表示手段に表示させ、該診療情報表示画面の前記第４の表示領域に当該患者の診療情報に含まれる複数のシェーマ図のうちの１つを表示させる、
ことを特徴とする請求項１に記載の診療支援システム。
【請求項４】
前記サムネイル作成手段は、新たなシェーマ図の保存要求が前記操作手段により為されたことに対応して、該新たなシェーマ図のサムネイルを作成し、
前記制御手段は、該作成された新たなシェーマ図のサムネイルが前記第３の表示領域に表示された前記診療情報表示画面を、前記表示手段に表示させる、
ことを特徴とする請求項１に記載の診療支援システム。
【請求項５】
前記制御手段は、新たなシェーマ図の保存要求が前記操作手段により為されたことに対応して、該新たなシェーマ図が前記第４の表示領域に表示された前記診療情報表示画面を、前記表示手段に表示させる、
ことを特徴とする請求項１に記載の診療支援システム。
【請求項６】
前記制御手段は、前記第３の表示領域の範囲に表示されないサムネイルがある場合に、前記第３の表示領域を前記操作手段によりスクロール操作可能な表示領域として形成する、
ことを特徴とする請求項１に記載の診療支援システム。
【請求項７】
前記診療情報は、文字所見情報を更に含み、
前記制御手段は、前記診療情報表示画面の第５の表示領域に前記文字所見情報を表示させる、
ことを特徴とする請求項１に記載の診療支援システム。
【請求項８】
前記制御手段は、前記診療情報表示画面の第２の表示領域に、視力値情報及び眼圧値情報の少なくとも一方を前記検査情報として表示させる、
ことを特徴とする請求項１に記載の診療支援システム。
【請求項９】
少なくとも傷病名情報、検査情報及び複数のシェーマ図を各患者ごとの診療情報として格納するデータベースにネットワークを介して接続され、
表示手段と、
操作手段と、
前記各患者ごとの診療情報を所定の表示形式で呈示する診療情報表示画面を、前記表示手段に表示させる制御手段と、
を有する診療支援装置であって、
前記複数のシェーマ図のそれぞれのサムネイルを作成するサムネイル作成手段を備え、
前記制御手段は、
前記診療情報の傷病名情報を前記診療情報表示画面の第１の表示領域に表示させ、前記検査情報を前記診療情報表示画面の第２の表示領域に表示させ、前記作成された複数のサムネイルを前記診療情報表示画面の第３の表示領域に表示させるとともに、
前記第３の表示領域に表示された複数のサムネイルのうちの１つが前記操作手段により選択指定されたときに、当該選択指定されたサムネイルに対応するシェーマ図を前記診療情報表示画面の第４の表示領域に表示させる、
ことを特徴とする診療支援装置。
【請求項１０】
少なくとも傷病名情報、検査情報及び複数のシェーマ図を各患者ごとの診療情報として格納する格納手段と、
表示手段と、
操作手段と、
前記各患者ごとの診療情報を所定の表示形式で呈示する診療情報表示画面を、前記表示手段に表示させる制御手段と、
を有するコンピュータを、
前記複数のシェーマ図のそれぞれのサムネイルを作成するサムネイル作成手段として機能させ、
前記制御手段を、
前記診療情報の傷病名情報を前記診療情報表示画面の第１の表示領域に表示させ、前記検査情報を前記診療情報表示画面の第２の表示領域に表示させ、前記作成された複数のサムネイルを前記診療情報表示画面の第３の表示領域に表示させるように機能させるとともに、
前記第３の表示領域に表示された複数のサムネイルのうちの１つが前記操作手段により選択指定されたときに、当該選択指定されたサムネイルに対応するシェーマ図を前記診療情報表示画面の第４の表示領域に表示させるように機能させる、
ことを特徴とする診療支援プログラム。
【請求項１１】
少なくとも傷病名情報、検査情報及び複数のシェーマ図を各患者ごとの診療情報として格納するデータベースにネットワークを介して接続され、
表示手段と、
操作手段と、
前記各患者ごとの診療情報を所定の表示形式で呈示する診療情報表示画面を、前記表示手段に表示させる制御手段と、
を有するコンピュータを、
前記複数のシェーマ図のそれぞれのサムネイルを作成するサムネイル作成手段として機能させ、
前記制御手段を、
前記診療情報の傷病名情報を前記診療情報表示画面の第１の表示領域に表示させ、前記検査情報を前記診療情報表示画面の第２の表示領域に表示させ、前記作成された複数のサムネイルを前記診療情報表示画面の第３の表示領域に表示させるように機能させるとともに、
前記第３の表示領域に表示された複数のサムネイルのうちの１つが前記操作手段により選択指定されたときに、当該選択指定されたサムネイルに対応するシェーマ図を前記診療情報表示画面の第４の表示領域に表示させるように機能させる、
ことを特徴とする診療支援プログラム。
【発明の詳細な説明】
【技術分野】
【０００１】
本発明は、病院や診療所等の医療機関において医師による診療を支援するために用いられる診療支援システム、診療支援装置及び診療支援プログラムに関し、特に、シェーマ図を表示可能とする診療支援システム、診療支援装置及び診療支援プログラムに関するものである。
【背景技術】
【０００２】
近年、医療分野における情報管理の電子化が急速に進行している。例えば、いわゆる電子カルテを患者ごとに作成し、これをネットワーク上で利用可能とすることにより、カルテ管理の効率化、主治医以外の医師のオピニオンを得るための情報の共有化、患者に対する情報のディスクロージャーの促進などを図っている。また、医療事務の効率化等を図るために、課金情報の電子化も進んでいる。典型的には、医院内の待合室、撮影室、検査室、診療室等にそれぞれ設けられたコンピュータ端末や各種の検査装置をＬＡＮサーバに接続可能に構成して情報を一元管理している。
【０００３】
特に、近年では、電子カルテに対応した診療支援システムの開発が進められている。電子カルテには、患者情報、問診情報、所見内容、処方オーダ情報、処置（検査）オーダ情報などの各種の情報が記録される。医師は、診療支援システムを用いて、所望の情報を表示させて閲覧したり、電子カルテに入力したりできるようになっている。従来の診療支援システムでは、このような情報を別々の画面に表示させたり、別々の画面にて入力作業を行ったりするのが一般的であった。
【０００４】
電子カルテには、上記の各種情報のような文字情報に加え、患部の撮影画像や患部の状態を描いたシェーマ図などの画像情報も記録されるようになっている。シェーマ図は、医師が患部の状態を観察した結果に基づいて描かれる概略的な図である。
【０００５】
特許文献１には、シェーマ図を表示可能な従来の診療支援システム（電子カルテシステム）が開示されている。当該システムは、同文献の図６に示すように電子カルテの表示画面上に各種のショートカットを設け、これらのショートカットを選択操作することで、所望の情報を表示画面上に展開表示できるように構成されている。
【０００６】
電子カルテの表示態様は、内科、外科、眼科等の診療科の特性に応じて相異させることが必要である。特に、たとえば内科のように文字情報を多用する診療科と、たとえば眼科のように画像情報を多用する診療科とでは、電子カルテの表示態様を個々の診療科の特性に適合させることが、電子カルテの使用を容易化するために重要となる。
【０００７】
特許文献２は、シェーマ図の表示態様に関する発明を開示したものである。同文献に記載の診療支援システム（医用画像処理システム）は、同文献の図５に示すシェーマ図作成画面を表示する。このシェーマ図作成画面には、倒像眼底や眼球断面や顔面等のシェーマ図を作成するための複数の雛形が表示されている。ユーザが所望の雛形を選択指定すると、その雛形が表示画面上に拡大表示される。ユーザは、被検眼を観察しつつ、患部の状態を雛形上に描画する。また、必要に応じて、雛形上にコメントを付すことができる。
【０００８】
【特許文献１】特開２００３−１２２８４９号公報（明細書段落〔００４８〕、〔００４９〕、図６）
【特許文献２】特開２００４−３５７８０３号公報（明細書段落〔００２０〕、〔００２４〕−〔００２７〕、図５）
【発明の開示】
【発明が解決しようとする課題】
【０００９】
ところで、紙カルテ（紙媒体上に情報が記載されたカルテ）においては、傷病名と検査結果と医師所見とが一紙面上に記載されており、診療に必要な各種情報を容易に把握することが可能であった。
【００１０】
電子カルテにおいても、紙カルテと同様の統合的な情報表示による情報把握の容易化が望まれていた。特に、画像を多用する診療科においては、各診療日において、どのようなシェーマ図が作成されたか一目で把握できるような電子カルテの表示態様が強く希求されていた。
【００１１】
しかし、上述した従来の構成によってこのような要望を満たすことは困難である。すなわち、特許文献１のシステムは、シェーマ図へのショートカットを表示するものであり、シェーマ図の描画内容自体を表示することはできないため、シェーマ図の内容を医師が一目で把握することはできない。また、シェーマ図と同時に傷病名や検査結果を参照することも不可能である。
【００１２】
また、特許文献２のシステムは、縮小表示された複数の雛形を選択可能に配列表示し、選択された雛形を拡大表示してシェーマ図やコメントの書き込みを行えるように構成されている。したがって、当該システムによっても、医師が一目で内容を把握できるようにシェーマ図を表示させることはできず、シェーマ図と同時に傷病名や検査結果を参照することもできない。
【００１３】
本発明は、このような問題を解決するためになされたもので、シェーマ図を含む電子カルテの記載内容を容易に把握でき、診療の効率化を図ることが可能な技術を提供することを目的とする。
【課題を解決するための手段】
【００１４】
上記目的を達成するために、請求項１に記載の発明は、少なくとも傷病名情報、検査情報及び複数のシェーマ図を各患者ごとの診療情報として格納する格納手段と、表示手段と、操作手段と、前記各患者ごとの診療情報を所定の表示形式で呈示する診療情報表示画面を、前記表示手段に表示させる制御手段と、を有する診療支援システムであって、前記複数のシェーマ図のそれぞれのサムネイルを作成するサムネイル作成手段を備え、前記制御手段は、前記診療情報の傷病名情報を前記診療情報表示画面の第１の表示領域に表示させ、前記検査情報を前記診療情報表示画面の第２の表示領域に表示させ、前記作成された複数のサムネイルを前記診療情報表示画面の第３の表示領域に表示させるとともに、前記第３の表示領域に表示された複数のサムネイルのうちの１つが前記操作手段により選択指定されたときに、当該選択指定されたサムネイルに対応するシェーマ図を前記診療情報表示画面の第４の表示領域に表示させる、ことを特徴とする。
【００１５】
また、請求項２に記載の発明は、請求項１に記載の診療支援システムであって、シェーマ図の雛形画像をあらかじめ記憶した雛形記憶手段を更に備え、前記制御手段は、前記表示手段に患者のリストを表示させ、該リストから１人の患者が前記操作手段により選択指定されたことに対応して、当該選択指定された患者の診療情報を呈示する前記診療情報表示画面を前記表示手段に表示させ、該診療情報表示画面の前記第４の表示領域に前記雛形画像を表示させる、ことを特徴とする。
【００１６】
また、請求項３に記載の発明は、請求項１に記載の診療支援システムであって、前記制御手段は、前記表示手段に患者のリストを表示させ、該リストから１人の患者が前記操作手段により選択指定されたことに対応して、当該選択指定された患者の診療情報を呈示する前記診療情報表示画面を前記表示手段に表示させ、該診療情報表示画面の前記第４の表示領域に当該患者の診療情報に含まれる複数のシェーマ図のうちの１つを表示させる、ことを特徴とする。
【００１７】
また、請求項４に記載の発明は、請求項１に記載の診療支援システムであって、前記サムネイル作成手段は、新たなシェーマ図の保存要求が前記操作手段により為されたことに対応して、該新たなシェーマ図のサムネイルを作成し、前記制御手段は、該作成された新たなシェーマ図のサムネイルが前記第３の表示領域に表示された前記診療情報表示画面を、前記表示手段に表示させる、ことを特徴とする。
【００１８】
また、請求項５に記載の発明は、請求項１に記載の診療支援システムであって、前記制御手段は、新たなシェーマ図の保存要求が前記操作手段により為されたことに対応して、該新たなシェーマ図が前記第４の表示領域に表示された前記診療情報表示画面を、前記表示手段に表示させる、ことを特徴とする。
【００１９】
また、請求項６に記載の発明は、請求項１に記載の診療支援システムであって、前記制御手段は、前記第３の表示領域の範囲に表示されないサムネイルがある場合に、前記第３の表示領域を前記操作手段によりスクロール操作可能な表示領域として形成する、ことを特徴とする。
【００２０】
また、請求項７に記載の発明は、請求項１に記載の診療支援システムであって、前記診療情報は、文字所見情報を更に含み、前記制御手段は、前記診療情報表示画面の第５の表示領域に前記文字所見情報を表示させる、ことを特徴とする。
【００２１】
また、請求項８に記載の発明は、請求項１に記載の診療支援システムであって、前記制御手段は、前記診療情報表示画面の第２の表示領域に、視力値情報及び眼圧値情報の少なくとも一方を前記検査情報として表示させる、ことを特徴とする。
【００２２】
また、請求項９に記載の発明は、少なくとも傷病名情報、検査情報及び複数のシェーマ図を各患者ごとの診療情報として格納するデータベースにネットワークを介して接続され、表示手段と、操作手段と、前記各患者ごとの診療情報を所定の表示形式で呈示する診療情報表示画面を、前記表示手段に表示させる制御手段と、を有する診療支援装置であって、前記複数のシェーマ図のそれぞれのサムネイルを作成するサムネイル作成手段を備え、前記制御手段は、前記診療情報の傷病名情報を前記診療情報表示画面の第１の表示領域に表示させ、前記検査情報を前記診療情報表示画面の第２の表示領域に表示させ、前記作成された複数のサムネイルを前記診療情報表示画面の第３の表示領域に表示させるとともに、前記第３の表示領域に表示された複数のサムネイルのうちの１つが前記操作手段により選択指定されたときに、当該選択指定されたサムネイルに対応するシェーマ図を前記診療情報表示画面の第４の表示領域に表示させる、ことを特徴とする。
【００２３】
また、請求項１０に記載の発明は、少なくとも傷病名情報、検査情報及び複数のシェーマ図を各患者ごとの診療情報として格納する格納手段と、表示手段と、操作手段と、前記各患者ごとの診療情報を所定の表示形式で呈示する診療情報表示画面を、前記表示手段に表示させる制御手段と、を有するコンピュータを、前記複数のシェーマ図のそれぞれのサムネイルを作成するサムネイル作成手段として機能させ、前記制御手段を、前記診療情報の傷病名情報を前記診療情報表示画面の第１の表示領域に表示させ、前記検査情報を前記診療情報表示画面の第２の表示領域に表示させ、前記作成された複数のサムネイルを前記診療情報表示画面の第３の表示領域に表示させるように機能させるとともに、前記第３の表示領域に表示された複数のサムネイルのうちの１つが前記操作手段により選択指定されたときに、当該選択指定されたサムネイルに対応するシェーマ図を前記診療情報表示画面の第４の表示領域に表示させるように機能させる、ことを特徴とする診療支援プログラムである。
【００２４】
また、請求項１１に記載の発明は、少なくとも傷病名情報、検査情報及び複数のシェーマ図を各患者ごとの診療情報として格納するデータベースにネットワークを介して接続され、表示手段と、操作手段と、前記各患者ごとの診療情報を所定の表示形式で呈示する診療情報表示画面を、前記表示手段に表示させる制御手段と、を有するコンピュータを、前記複数のシェーマ図のそれぞれのサムネイルを作成するサムネイル作成手段として機能させ、前記制御手段を、前記診療情報の傷病名情報を前記診療情報表示画面の第１の表示領域に表示させ、前記検査情報を前記診療情報表示画面の第２の表示領域に表示させ、前記作成された複数のサムネイルを前記診療情報表示画面の第３の表示領域に表示させるように機能させるとともに、前記第３の表示領域に表示された複数のサムネイルのうちの１つが前記操作手段により選択指定されたときに、当該選択指定されたサムネイルに対応するシェーマ図を前記診療情報表示画面の第４の表示領域に表示させるように機能させる、ことを特徴とする診療支援プログラムである。
【発明の効果】
【００２５】
本発明によれば、診療情報を所定の表示形式で呈示する診療情報表示画面に、第１の表示領域、第２の表示領域、第３の表示領域及び第４の表示領域が設けられており、また、診療情報に含まれる複数のシェーマ図のそれぞれのサムネイルを作成するサムネイル作成手段が設けられている。そして、制御手段は、診療情報の傷病名情報及び検査情報を診療情報表示画面の第１の表示領域及び第２の表示領域にそれぞれ表示させ、複数のシェーマ図のサムネイルを第３の表示領域に表示させるとともに、サムネイルのうちの１つが操作手段により選択指定されると、そのサムネイルに対応するシェーマ図を第４の表示領域に表示させるように構成されている。
【００２６】
それにより、複数のシェーマ図に対応する複数のサムネイルを診療情報表示画面上に表示させることができるので、ユーザは、当該診療情報に、どのようなシェーマ図がどれだけ含まれているかを、一目で容易に把握できる。
【００２７】
また、この診療情報表示画面上には、これら複数のシェーマ図のサムネイルとともに、当該患者の傷病名情報と検査情報とが表示される。このような表示態様は従来の紙カルテと同様のものである。したがって、ユーザは、診療に必要な診療情報の記載内容を容易に把握することができ、それによる診療の効率化を図ることが可能となる。
【発明を実施するための最良の形態】
【００２８】
本発明に係る診療支援システム、診療支援装置及び診療支援プログラムの好適な実施形態の一例について、図面を参照しながら詳細に説明する。
【００２９】
［システム構成］
図１は、本発明に係る診療支援システムの好適な実施形態の一例の全体構成を表している。同図に示す診療支援システム１００は、ネットワーク５を介して通信可能に接続された医師端末１とサーバ２とを含んで構成される。
【００３０】
サーバ２は、大容量記憶装置を含んでなるデータベース３を有している。また、サーバ２には、ネットワーク５を介して受付端末４が接続されている。ネットワーク５は、医療機関内に構築されたＬＡＮ（Ｌｏｃａｌ  Ａｒｅａ  Ｎｅｔｗｏｒｋ）などにより構成されている。
【００３１】
受付端末４は、来院患者の受付登録処理や、新規患者の電子カルテ作成処理などを行うコンピュータ端末である。受付登録において入力されたデータや、新規作成された電子カルテのデータは、ネットワーク５を通じてサーバ２に送信されてデータベース３に格納される。
【００３２】
サーバ２は、データベース３に格納されている電子カルテデータＤ、撮影画像データ、検査データ、撮影や検査のオーダデータ、医事会計データなど、当該医療機関内にて取り扱われる各種データの管理を行うコンピュータである。このデータベース３は、本発明の「格納手段」の一例に相当する。
【００３３】
電子カルテデータＤは、各患者ごとの診療情報をまとめた電子カルテ（ファイル）として管理されている。また、各患者の電子カルテデータは、当該患者の各診療日ごとに作成された診療情報（ファイル）を含んで形成されている。ここで、「診療情報」とは、診療において参照される情報を意味するものとする。
【００３４】
各患者の電子カルテには、当該患者の傷病名を表す傷病名情報、当該患者の主訴（傷病に起因して現われる主な身体症状）を表す主訴情報、各種検査や撮影の結果を示す検査情報、医師により作成されたシェーマ図（所見が記入されていることがある。）、所見内容を文字（文章）で記載した文字所見情報などが、診療情報として含まれている。ここで、たとえば眼科における検査情報としては、視力検査により得られた視力値情報（被検眼の球面度数、乱視度数、乱視軸角度等）、眼圧検査により得られた眼圧値情報、その他の眼科検査の検査結果情報などがある。
【００３５】
なお、図示は省略するが、ネットワーク５には、複数の医師端末１が接続されていてもよい。また、ネットワーク５には、各種の検査装置や撮影装置、更にはその他のコンピュータ等が接続されていてもよい。
【００３６】
医師端末１の構成について説明する。医師端末１は、本発明の「診療支援装置」の一例を構成し、たとえば診療室内に設置されたコンピュータ端末からなる。医師は、この医師端末１を使用して、電子カルテの閲覧、作成、編集などの作業を行う。以下、医師端末１のハードウェア構成について図２を参照しつつ説明し、それから、図１を参照して機能的構成について説明する。
【００３７】
〔医師端末のハードウェア構成〕
医師端末１は、従来からのコンピュータと同様のハードウェア構成を備え、図２に示すように、ＣＰＵ２０（等のマイクロプロセッサ）、ＲＡＭ２１、ＲＯＭ２２、ハードディスクドライブ（ＨＤＤ）２３、ディスプレイ２４、電子ペン２５、キーボード２６、マウス２７及び通信インターフェイス２８を具備している。これらは、バス２９を介して接続されている。
【００３８】
ＣＰＵ２０は、ハードディスクドライブ２３に格納された診療支援プログラム２３ａをＲＡＭ２１上に展開することにより、後述する本発明に特徴的な動作を実行する。また、ＣＰＵ２０は、各種の演算処理を行うとともに、装置各部の制御、たとえばディスプレイ２４による表示処理の制御、キーボード２６やマウス２７から入力される信号に対応する制御、通信インターフェイス２８による通信処理の制御などを実行する。また、ディスプレイ２４と電子ペン２５とがペンタブレットを構成する場合、制御部２０は、このペンタブレットによる入力される信号に対応する制御を行う。
【００３９】
ＲＯＭ２２には、ＢＩＯＳ（Ｂａｓｉｃ  Ｉｍｐｕｔ／Ｏｕｔｐｕｔ  Ｓｙｓｔｅｍ）などの基本動作用のプログラム群や、各種のデータが記憶されている。
【００４０】
ハードディスクドライブ２３には、診療支援プログラム２３ａと診療支援用データ２３ｂとがあらかじめ記憶されている。診療支援プログラム２３ａは、前述のように、本発明に係る動作をコンピュータに実行させるためのコンピュータプログラムである。また、診療支援用データ２３ｂは、この診療支援プログラム２３ａにより用いられる各種のデータを含んでおり、たとえば、ディスプレイ２４に表示される表示画面の画像データ（図１の表示画面データ１１ａ）や、シェーマ図の各種雛形の画像データ（図１の雛形画像データ１１ｂ）や、その他各種パラメータなどが含まれている。
【００４１】
なお、医師端末１とサーバ２とがクライアント−サーバシステムとして構築されている場合などには、診療支援プログラム２３ａや診療支援用データ２３ｂをサーバ２側に記憶しておき、ネットワーク５を通じてそれらを提供して医師端末１を動作させるように構成することが可能である。
【００４２】
ディスプレイ２４は、ＬＣＤやＣＲＴ等の任意の表示デバイスである。ここでは、ディスプレイ２４としてタッチパネル式のＬＣＤ（タブレット）を使用し、電子ペン２５とともにペンタブレットとして使用できるように構成することが操作性の面から望ましい。その場合、このタブレットとは別のディスプレイを追加して設けてもよい。
【００４３】
キーボード２６は、文字や数字等を入力するためのデバイスとして用いられる。マウス２７は、ディスプレイ２４の表示画面に対する各種入力操作を行うためのデバイスとして用いられる。通信インターフェイス２８は、ネットワーク５を介してデータ通信を行うためのＬＡＮカード等のネットワークアダプタである。
【００４４】
〔医師端末の機能的構成〕
医師端末１は、図１に示すように、制御部１０、データ記憶部１１、操作部１２、表示部１３、サムネイル作成部１４及びデータ通信部１５を含んで構成される。
【００４５】
制御部１０は、たとえばＣＰＵ２０やＲＡＭ２１を含んで構成される。制御部１０は、本発明の「制御手段」の一例に相当し、表示部１３に各種表示画面や情報を表示させる処理を制御する。制御部１０による表示処理の制御形態については適宜後述するものとする。また、制御部１０は、医師端末１の各部の動作制御や各種演算処理などを実行する。
【００４６】
データ記憶部１１は、たとえばハードディスクドライブ２３等の記憶装置を含んで構成されている。データ記憶部１１には、表示画面データ１１ａと雛形画像データ１１ｂがあらかじめ記憶されている。
【００４７】
表示画面データ１１ａは、前述の診療支援用データ２３ｂに含まれるデータであり、後述の患者一覧表示画面１０００、診療情報表示画面２０００、シェーマ図作成画面３０００などの各種表示画面のテンプレートの画像データを含んでいる。ＣＰＵ２０は、この表示画面データ１１ａに基づいて、これらの表示画面を表示部１３に適宜表示させる。
【００４８】
雛形画像データ１１ｂは、前述の診療支援用データ２３ｂに含まれるデータであり、眼底のシェーマ図や前眼部のシェーマ図など、各種のシェーマ図の雛形画像の画像データを含んでいる。データ記憶部１１は、本発明の「雛形記憶手段」の一例に相当するものである。
【００４９】
また、データ記憶部１１には、データベース３に格納された電子カルテデータＤのうち、医師端末１がサーバ２から提供を受けた電子カルテデータ１１ｃが記憶される。医師端末１により新たに追加、変更、削除等の編集が施された情報も電子カルテデータ１１ｃとして記憶される（詳細は後述する。）。
【００５０】
表示部１３は、本発明の「表示手段」の一例に相当し、ディスプレイ２４により構成される。また、操作部１２は、本発明の「操作手段」の一例に相当し、電子ペン２５、キーボード２６及びマウス２７等の入力操作デバイスのうち、特に電子ペン２５を含んで構成される。なお、文字所見の入力やスクロールの操作をキーボード２６で行う場合、操作部１２はキーボード２６も含む。電子ペン２５の代わりにマウス２７で各種操作を行うように構成してもよい。
【００５１】
望ましくは、表示部１３と操作部１２（電子ペン２５）とはペンタブレットを構成する。それにより、ユーザ（医師）は、表示画面の操作や、シェーマ図等の各種情報の入力操作を、電子ペン２５を使って行うことができる。また、表示画面に対する文字情報の入力は、キーボード２６を用いて行うことができる。
【００５２】
サムネイル作成部１４は、たとえばＣＰＵ２０やＲＡＭ２１を含んで構成される。サムネイル作成部１４は、本発明の「サムネイル作成手段」の一例として機能し、電子カルテデータ１１ｃに含まれるシェーマ図や、新たに作成されたシェーマ図のサムネイルを作成する処理を行う。
【００５３】
ここで、「サムネイル（ｔｈｕｍｂｎａｉｌ）」とは、元の画像の縮小画像であり、元の画像との間にリンクが形成された画像を意味するものとする。
【００５４】
サムネイル作成部１４は、シェーマ図の画像データを受けると、その画像データを所定の倍率で縮小し、サムネイルの画像データを作成する。更に、このサムネイルの画像データと、元のシェーマ図の画像データとを関連付けてリンクを形成する。この関連付けは、たとえば、データ記憶部１１（ハードディスクドライブ２３）におけるサムネイルの画像データの格納位置（ディレクトリ）と、元のシェーマ図の画像データの格納位置とを関連付けることにより行う。
【００５５】
データ通信部１５は、サーバ２との間におけるデータの送受信を行うもので、たとえばＣＰＵ２０、ＲＡＭ２１、通信インターフェイス２８を含んで構成される。
【００５６】
〔表示画面の構成〕
図３〜図５に示す表示画面について説明する。図３は、患者のリストを呈示する患者一覧表示画面１０００を示している。図４は、電子カルテデータ１１ｃを所定の表示形式で呈示する診療情報表示画面２０００を示している。図５は、シェーマ図の作成作業（新規作成作業、編集作業など）を行うためのシェーマ図作成画面３０００を示している。
【００５７】
（患者一覧表示画面）
図３に示す患者一覧表示画面１０００は、本日来院する患者のリストを呈示する画面である。このリストは、データベース３に格納された診療日の予約情報や、既に来院し受付登録を済ませた患者の受付登録情報などを参照して作成される。
【００５８】
患者一覧表示画面１０００には、複数の診察室や検査室ごとのタブ１００１が複数個設けられており、所望の診察室等のタブ１００１を操作部１２（電子ペン２５）でクリック（クリック）することにより、その診察室等に訪れる患者のリストが呈示される。この患者リストは、タブ１００１の下方に設けられた患者リスト表示部１００２に呈示される。この患者リスト表示部１００２に呈示される患者リストには、患者名や患者ＩＤなどの患者情報が診察等の順序にしたがって画面上方から下方に向かって配列表示される（つまり、診察待ちや検査待ちの順序に応じて配列表示される。）。リスト最上段の患者の診察等が終了すると、その患者の患者情報がリストから消去され、次の順序の患者の患者情報が最上段に移行するようになっている。
【００５９】
また、患者一覧表示画面１０００の画面右端には、カルテ検索キー１００３を含む各種の操作キーが設けられている。各操作キーは、操作部１２（電子ペン２５）のクリックにより操作を受け付けるソフトキーにより構成されている。カルテ検索キー１００３が操作部１２によりクリックされると、制御部１０は、表示画面データ１１ａから診療情報表示画面２０００の画像データを取得し、表示部１３に診療情報表示画面２０００を表示させる。
【００６０】
（診療情報表示画面）
図４に示す診療情報表示画面２０００は、電子カルテデータ１１ｃに含まれる診療情報を同図に示すような表示形式で呈示する表示画面である。
【００６１】
電子カルテデータＤ（したがって電子カルテデータ１１ｃ）には、前述のように、傷病名情報、主訴情報、検査情報（眼圧値情報、視力値情報等）、シェーマ図、文字所見情報などが含まれている。
【００６２】
診療情報表示画面２０００には、電子カルテデータ１１ｃに含まれるこれらの情報を呈示するための表示領域が設けられている。たとえば、傷病名表示部２００１には傷病名情報が表示され、主訴表示部２００２には主訴情報が表示され、検査情報表示部２００３には検査情報である視力値情報や眼圧値情報が表示され、検査詳細表示部２００４には検査情報の検査詳細情報（検査名、検査結果の詳細など）が表示され、シェーマ図表示部２００５にはシェーマ図が表示され、文字所見表示部２００６には文字所見情報が表示される。
【００６３】
更に、診療情報表示画面２０００には、シェーマ図のサムネイルを一覧表示するサムネイル表示部２００７と、シェーマ図の作成に関する操作を受け付けるシェーマ図作成キー部２００８と、当該患者のこれまでの診療日（本日を含む。）を一覧表示する来院歴表示部２００９とが設けられている。
【００６４】
シェーマ図表示部２００５、文字所見表示部２００６、サムネイル表示部２００７及びシェーマ図作成キー部２００８は、「所見」表示欄に配設されている。
【００６５】
シェーマ図表示部２００５に表示されたシェーマ図を、マウスと同じ要領で、操作部１２によりダブルクリックすると、このシェーマ図を編集するためのシェーマ図作成画面３０００が表示される。この表示画面の切り換え処理は制御部１０により実行される。
【００６６】
サムネイル表示部２００７には、サムネイル作成部１４により作成されたシェーマ図のサムネイルが表示される。表示されたサムネイルを操作部１２でクリックすると、そのサムネイルの元の画像であるシェーマ図が、シェーマ図表示部２００５に表示される。複数のサムネイルが表示されている場合、選択的にクリックされたサムネイルの元のシェーマ図がシェーマ図表示部２００５に切り換え表示される。
【００６７】
このような表示処理は制御部１０により実行される。制御部１０は、クリックされたサムネイルにリンクされたシェーマ図を電子カルテデータ１１ｃから選択取得してシェーマ図表示部２００５に表示させる。このとき、他のシェーマ図がシェーマ図表示部２００５に既に表示されている場合、この他のシェーマ図に換えて選択取得した新たなシェーマ図を表示させる。
【００６８】
また、サムネイルが多数ある場合など、全てのサムネイルをサムネイル表示部２００７の範囲に一度に表示しきれない場合、サムネイル表示部２００７は、上下にスクロール可能な表示領域として形成される。
【００６９】
そのために、たとえば次のような処理を行う。まず、サムネイル作成部１４は、各サムネイルを同じ表示サイズ（縦横のピクセル数など）の画像として形成する。制御部１０は、表示対象の全サムネイルの縦方向のピクセル数の和を算出し、この算出結果とサムネイル表示部２００７の縦方向のピクセル数（あらかじめ設定されている。）とを比較する。和の算出結果の方が小さい場合、制御部１０は、サムネイル表示部２００７に、これらのサムネイルを縦方向に配列表示させる。他方、和の算出結果の方が大きい場合、制御部１０は、サムネイル表示部２００７をスクロール可能な表示領域に設定し、全サムネイルを縦方向に配列表示させる（それらのうちの幾つかは同時に呈示されない。）。
【００７０】
このスクロール可能に形成されたサムネイル表示部２００７には、そのたとえば右端に、スクロールバーが表示される。ユーザは、このスクロールバーの上端／下端にあるソフトキーやスクロールバースライダを操作部１２等で操作することにより、サムネイル表示部２００７に呈示されるサムネイルを上下にスクロールさせることができる。また、キーボード２６のアップダウンキーを用いてスクロール操作を行うこともできる。
【００７１】
なお、サムネイル表示部２００７は、横方向にスクロールするように構成されていてもよいし（このときサムネイルは横方向に配列表示される。）、縦方向と横方向とにそれぞれスクロール可能に構成されていてもよい（このときサムネイルは縦方向及び横方向に２次元的に配列表示される。）。また、一方向（縦方向又は横方向）にのみスクロール可能に構成する場合であっても、サムネイルを縦横２次元的に配列表示させてもよい。その場合、スクロール可能に構成するか否かの判定は、縦横の配列個数に応じて適宜に実行される。また、サムネイル表示部２００７を常にスクロール可能な表示領域として形成するように構成することも可能である。
【００７２】
シェーマ図作成キー部２００８には、シェーマ図を新規作成するための「シェーマ」キーや、眼底のシェーマ図を新規作成するための「眼底」キーなどの複数のソフトキーが配設されている。「シェーマ」キーや「眼底」キーが操作部１２によりクリックされると、図５のシェーマ図作成画面３０００が表示部１３に表示される。
【００７３】
「シェーマ」キーは、シェーマ図作成画面３０００において所望の雛形を選択してシェーマ図を作成するために操作される。また、「眼底」キーは、シェーマ図作成画面３０００において眼底のシェーマ図を作成するために操作される。この「眼底」キーは、眼底のシェーマ図の使用頻度が高いことに対応し、操作性の向上を図るために設けられたものである。
【００７４】
なお、医師によっては、眼底以外のシェーマ図の使用頻度が高い場合もある。その場合、当該医師の使用頻度の高いシェーマ図の雛形を直接に表示できるように適宜にカスタマイズすることができる。たとえば前眼部のシェーマ図の使用頻度が高い場合、シェーマ図作成キー部２００８に「前眼部」キーを設けることが望ましい。
【００７５】
来院歴表示部２００９に一覧表示された診療日のうちの１つが操作部１２により選択的にクリックされると、「所見」表示欄の呈示内容、すなわちシェーマ図表示部２００５、文字所見表示部２００６及びサムネイル表示部２００７のそれぞれの呈示内容が、選択された診療日における内容（診療情報）に変更される。
【００７６】
たとえば図４に示す「所見」表示欄の各表示部には、「２００５／０３／２８（２００５年３月２８日）」の診療結果（所見結果）が呈示されている。ユーザがたとえば診療日「２００５／０２／２５（２００５年２月２５日）」をクリックすると、「所見」表示欄の各表示部の呈示内容が、２００５年２月２５日の所見結果に切り換えられる。この表示切り換え動作は、制御部１０により実行される。制御部１０は、たとえば、クリックされた診療日の所見結果を電子カルテデータ１１ｃから取得し、各表示部の呈示内容をこの所見結果に切り換えるように動作する。
【００７７】
診察終了キー２０１０は、当該患者の診察を終了するときに操作部１２によりクリックされる。この診察終了キー２０１０が操作されると、検査内容や診察内容に応じた医療費情報（保険点数等）が図示しない医事会計アプリケーションに送信される。また、診察終了キー２０１０の操作に対応して、表示部１３の表示画面が、図３の患者一覧表示画面１０００に切り替わる（なお、次の患者の診療情報表示画面２０００に切り換え表示するように構成してもよい）。
【００７８】
（シェーマ図作成画面）
図５に示すシェーマ図作成画面３０００は、ユーザがシェーマ図を新規に作成したり、既存のシェーマ図の編集を行ったりするための表示画面である。
【００７９】
このシェーマ図作成画面３０００は、雛形選択部３００１、作成作業部３００２、文字所見入力部３００３、操作キー部３００４、前回コピーキー３００５、ＯＫキー３００６及びキャンセルキー３００７を含んで構成されている。
【００８０】
雛形選択部３００１には、雛形画像データ１１ｂに含まれるシェーマ図の各種の雛形画像が配列表示される。表示される雛形画像としては、たとえば、前眼部の雛形画像、眼底の雛形画像、眼の側方断面の雛形画像、これらの雛形画像の任意の組合せ（前眼部の雛形画像と眼底の雛形画像の組合せ等）などがある。全ての雛形画像を雛形選択部３００１の範囲に一度に表示しきれない場合、雛形選択部３００１はスクロール可能な表示領域として形成される。ユーザは、この雛形選択部３００１に表示された雛形画像のうちの所望の雛形画像を操作部１２でクリックして指定する。
【００８１】
作成作業部３００２には、雛形選択部３００１にて指定された雛形画像が表示される。また、診療情報表示画面２００のシェーマ表示部２００５からシェーマ図作成画面３０００に移行した場合には、このシェーマ表示部２００５に呈示されていたシェーマ図が作成作業部３００２に表示される。また、診療情報表示画面２０００のシェーマ図作成キー部２００８の「眼底」キーからシェーマ図作成画面３０００に移行した場合には、眼底の雛形画像（又は眼底の雛形画像と他の雛形画像との組合せ）が作成作業部３００２に表示される。なお、シェーマ図作成キー部２００８の「シェーマ」キーから移行した場合、作成作業部３００２には雛形選択部３００１にて雛形画像が指定されるまで何も表示されない。
【００８２】
ユーザは、作成作業部３００２に表示された画像上に、病変部を示す画像を描画したり、コメントを記入したりすることで、シェーマ図を新規作成又は編集する。この作業は、操作部１２（電子ペン２５）を用いたペンタブレット入力により、容易に行うことができる。
【００８３】
文字所見入力部３００３には、シェーマ図上に記入されるコメント以外の、より長文の所見が入力される。この所見の入力操作は、ペンタブレット入力で行うこともできるし、また、キーボード２６用いて行うこともできる。
【００８４】
操作キー部３００４には、作成作業部３００２に表示された画像上に描画を行ったり、コメントを入力したりするときの各種設定や操作を行うためのソフトキー、たとえば使用するペンの種類を設定するためのソフトキー、色を設定するためのソフトキー、線の太さを設定するためのソフトキーなどが配設されている。
【００８５】
前回コピーキー３００５は、前回の診療を元に作成されたシェーマ図のコピーの表示要求を行うためのソフトキーである。この前回コピーキー３００５を操作部１２でクリックすると、制御部１０は、データ記憶部１１にアクセスして前回の診療日に対応するシェーマ図を電子カルテデータ１１ｃから検索するとともに、検索されたシェーマ図のコピーを作成し、このコピーを作成作業部３００２に表示させる。このように、前回のシェーマ図のコピーを作成して表示させることにより、このシェーマ図の改ざんを防止することができる。
【００８６】
ＯＫキー３００６は、作成作業部３００２にて作成されたシェーマ図の保存要求を行うためのソフトキーである。このＯＫキー３００６を操作部１２でクリックすると、制御部１０は、作成作業部３００２に表示されているシェーマ図を電子カルテデータ１１ａに追加保存する。サムネイル作成部１４は、この新たなシェーマ図のサムネイルを作成する。更に、制御部１０は、表示部１３に診療情報表示画面２０００を表示させる。この診療情報表示画面２０００のシェーマ図表示部２００５には、この新たなシェーマ図が表示され、サムネイル表示部２００７には、この新たなシェーマ図のサムネイルが追加表示される。
【００８７】
なお、複数のシェーマ図をまとめて作成した後にＯＫキー３００６が操作された場合、制御部１０は各シェーマ図を追加保存し、サムネイル作成部１４は各シェーマ図のサムネイルを作成する。そして、診療情報表示画面２０００のサムネイル表示部２００７には新たな複数のサムネイルが追加表示され、シェーマ表示部２００５には、新たな複数のシェーマ図のうちのいずれか（たとえば最初に作成されたシェーマ図や最後に作成されたシェーマ図）が表示される。
【００８８】
キャンセルキー３００７は、シェーマ図作成画面３０００による作業内容をキャンセルして破棄するために操作されるソフトキーである。このキャンセルキー３００７を操作部１２でクリックすると、制御部１０は、表示部１３の表示を診療情報表示画面２０００に切り換える。
【００８９】
［動作］
以上のような本実施形態の診療支援システム１００の動作（特に医師端末１の動作）について説明する。図６は、或る患者のカルテの記入作業を説明するための診療支援システム１００の使用例を表すフローチャートである。この使用例に基づいて診療支援システム１００の動作の一例を説明する。
【００９０】
まず、ユーザ（医師）は、図３の患者一覧表示画面１０００を医師端末１の表示部１３に表示させる（Ｓ１）。必要に応じて適当な診療室等のタブ１００１を選択指定する。ユーザは、患者リスト表示部１００２に一覧表示された患者のうち、カルテを作成する対象患者を選択指定する（Ｓ２）。そして、カルテ検索キー１００３がクリックされると、制御部１０は、選択指定された患者の電子カルテデータ１１ｃの提供を要求する信号を生成し、データ通信部１５を介してサーバ２に送信する（Ｓ３）。
【００９１】
サーバ２は、この信号に基づいてデータベース３から目的の電子カルテデータ１１ｃを検索し、医師端末１に送信する（Ｓ４）。医師端末１の制御部１０は、この電子カルテデータ１１ｃをデータ記憶部１１に記憶させる（Ｓ５）。
【００９２】
制御部１０は、患者一覧表示画面１０００を表示していた表示部１３の表示画面を、これから診療情報を記入する当該患者の本日のカルテを表示した診療情報表示画面２０００（図４参照）に切り換える（Ｓ６）。そのシェーマ図表示部２００５には、たとえば所定の雛形画像（前眼部と眼底との組合せなど）が表示されている。
【００９３】
以下、本日の診療に基づくシェーマ図の新規作成作業（ステップＳ７〜Ｓ１３）を行い、その後に、前回の診療に基づいて作成されたシェーマ図の編集作業（ステップＳ１４〜Ｓ２１）を行い、ケースについて説明する。
【００９４】
（シェーマ図の新規作成作業）
本日の診療に基づくシェーマ図の新規作成作業について説明する。まず、ユーザは、シェーマ図作成キー２００８の「シェーマ」キーをクリックしてシェーマ図作成画面３０００を表示させ（Ｓ７）、雛形選択部３００１から所望のシェーマ図の雛形画像を選択指定する（Ｓ８）。作成作業部３００２には、選択された雛形画像が表示される。ユーザは、この雛形画像に病変部等を示す画像を描画したりコメントを記入したりしてシェーマ図を作成する（Ｓ９）。作成作業が終了したらＯＫキー３００６をクリックする（Ｓ１０）。サムネイル作成部１４は、この新規のシェーマ図のサムネイルを作成する（Ｓ１１）。制御部１０は、この新規のシェーマ図の画像データと、そのサムネイルの画像データとを電子カルテデータ１１ｃに追加保存する（Ｓ１２）。
【００９５】
制御部１０は、この新規のシェーマ図をシェーマ図表示部２００５に呈示し、かつ、そのサムネイルをサムネイル表示部２００７に呈示した診療情報表示画面２０００を、表示部１３に表示させる（Ｓ１３）。なお、ステップＳ９のシェーマ図作成作業において、文字所見入力部３００３に所見を記入した場合には、その記入内容が診療情報表示画面２０００の文字所見表示部２００６に表示される。
【００９６】
（前回作成したシェーマ図の編集作業）
続いて行われる前回のシェーマ図の編集作業について説明する。ユーザは、診療情報表示画面２０００のシェーマ図作成キー２００８の「シェーマ」キーをクリックして、シェーマ図作成画面３０００を再び表示させる（Ｓ１４）。更に、前回コピーキー３００５をクリックすると（Ｓ１５）、制御部１０により、前回作成したシェーマ図（のコピー）が作成作業部３００２に表示される（Ｓ１６）。
【００９７】
ユーザは、この前回のシェーマ図に対して必要な編集を施し（Ｓ１７）、ＯＫキー３００６をクリックする（Ｓ１８）。サムネイル作成部１４は、この編集後のシェーマ図のサムネイルを作成する（Ｓ１９）。制御部１０は、この編集後のシェーマ図の画像データと、そのサムネイルの画像データとを電子カルテデータ１１ｃに追加保存する（Ｓ２０）。
【００９８】
制御部１０は、この編集後のシェーマ図をシェーマ図表示部２００５に呈示し、かつ、そのサムネイルをサムネイル表示部２００７に呈示した診療情報表示画面２０００を、表示部１３に表示させる（Ｓ２１）。なお、ステップＳ１７のシェーマ図編集作業において、文字所見入力部３００３に所見を記入した場合、その記入内容が診療情報表示画面２０００の文字所見表示部２００６に表示される。
【００９９】
このとき、サムネイル表示部２００７には、編集後のシェーマ図のサムネイルとともに、上記ステップＳ１１にて作成された新規シェーマ図のサムネイルが表示されている。ユーザは、この新規シェーマ図のサムネイルをクリックすることにより、シェーマ図表示部２００５の表示内容をこの新規シェーマ図に切り換えることができる。また、その表示内容を編集後のシェーマ図に戻したい場合には、そのサムネイルをクリックすればよい。このような作業をしつつ、本日の診療に基づく診療情報を本日のカルテに記入する。
【０１００】
本日のカルテの記入作業が終了したら、ユーザは診察終了キー２０１０をクリックする（Ｓ２２）。それを受けた制御部１０は、その記入内容を電子カルテデータ１１ｃに追加保存するとともに、患者一覧表示画面１０００に表示を切り換える（Ｓ２３）。以上で、１人の患者のカルテの記入作業は終了となる。
【０１０１】
なお、シェーマ図の新規作成が為されずに診察終了キー２０１０がクリックされた場合、制御部１０は、ステップＳ６にて表示された所定の雛形画像を破棄して患者一覧表示画面１０００を表示させる。
【０１０２】
続けて別の患者のカルテの記入作業を行う場合には、患者一覧表示画面１０００にて所望の患者を選択し、以上と同様の作業を実施する。
【０１０３】
［診療支援プログラムについて］
以上に説明した本実施形態による処理は、医師端末１のマイクロプロセッサ（ＣＰＵ２０）が、ハードディスクドライブ２３に記憶された診療支援プログラム２３ａ及び診療支援用データ２３ｂに基づいて実行するものである。診療支援プログラム２３ａは、本発明の「診療支援プログラム」の一例に相当するものである。
【０１０４】
このような診療支援プログラム２３ａや診療支援用データ２３ｂを、任意の記憶媒体（メディア）に、コンピュータ読み取り可能に記憶させることができる。その記憶媒体としては、フロッピー（登録商標）ディスク、ＣＤ−ＲＯＭ、ＣＤ−Ｒ（Ｗ）、ＤＶＤ−ＲＯＭ、ＤＶＤ−Ｒ（Ｗ）、ＤＶＤ−ＲＡＭ、ＭＯ、各種メモリカードなど、電気的方法、磁気的方法、光学的方法等の任意の物理的方法によってデータを記憶可能に構成されたものを使用することができる。
【０１０５】
［作用・効果］
以上のような本実施形態に係る診療支援システム１００（主として医師端末１）の作用及び効果について説明する。
【０１０６】
この診療支援システム１００は、医師端末１とサーバ２とを含んで構成される。サーバ２は、傷病名情報、検査情報及び（複数の）シェーマ図を含む各患者ごとの電子カルテデータ１１ｃを格納するデータベース３を管理している。また、医師端末１は、電子カルテデータ１１ｃに含まれる情報を所定の表示形式で呈示する診療情報表示画面２０００を表示する表示部１３と、操作部１２と、シェーマ図のサムネイルを作成するサムネイル作成部１４とを備える。
【０１０７】
診療情報表示画面２０００には、傷病名情報が表示される傷病名表示部２００１（第１の表示領域）と、視力値情報や眼圧値情報が表示される検査情報表示部２００３（第２の表示領域）と、検査の詳細が表示される検査詳細表示部２００４と、シェーマ図のサムネイルが表示されるサムネイル表示部２００７（第３の表示領域）と、シェーマ図が表示されるシェーマ図表示部２００５（第４の表示領域）と、文字所見が表示される文字所見表示部２００６（第５の表示領域）とが設けられている。
【０１０８】
ユーザが、サムネイル表示部２００７に表示されたサムネイルのうちの１つを操作部１２により選択指定すると、医師端末１の制御部１０は、この選択指定されたサムネイルに対応するシェーマ図をシェーマ図表示部２００５に表示させる。
【０１０９】
このような構成の診療支援システム１００（医師端末１）によれば、電子カルテデータ１１ｃに複数のシェーマ図が含まれているとき、各シェーマ図のサムネイルを診療情報表示画面２０００上に配列表示させることができるので、ユーザは、任意の診療日に、どのようなシェーマ図がどれだけ作成され保存されているか容易に把握することができる。また、サムネイル表示部２００７に全てのシェーマ図のサムネイルを一度に表示できない場合であっても、その表示領域をスクロールさせることにより、任意の診療日のシェーマ図を一目で把握することができる。
【０１１０】
また、診療情報表示画面２０００上には、シェーマ図のサムネイルとともに、当該患者の傷病名情報と検査情報とが同時に表示される。このような表示態様は従来の紙カルテと同様であり、ユーザは、診療に必要な電子カルテの記載内容を容易に把握することができ、それによる診療の効率化を図ることが可能となる。
【０１１１】
また、診療支援システム１００の医師端末１は、患者リストを呈示する患者一覧表示画面１０００を表示部１３に表示することができ、また、データ記憶部１１にシェーマ図の雛形画像をあらかじめ記憶している。制御部１０は、患者一覧表示画面１０００に呈示された患者のうちの１人が操作部１３により選択指定されたことに対応して、この選択指定された患者の電子カルテデータ１１ｃの情報を呈示する診療情報表示画面２０００を表示させる。ここで表示される診療情報表示画面２０００は、本日の診察による所見を記入するためのカルテであり、そのシェーマ図表示部２００５には、所定の雛形画像が表示されている。この所定の雛形画像としては、当該ユーザによる使用頻度の高いものをあらかじめ選択しておくことが望ましい。それにより、シェーマ図作成作業に迅速に移行することができ、操作性も良好となる。
【０１１２】
また、医師端末１は、シェーマ図の作成作業を行うためのシェーマ図作成画面３０００を表示部１３に表示する。このシェーマ図作成画面３０００にて新たなシェーマ図が作成され、その保存要求が操作部１２により為されると、サムネイル作成部１４は、この新たなシェーマ図のサムネイルを作成するよう動作する。そして、制御部１０は、表示部１３に診療情報表示画面２０００を表示させ、そのサムネイル表示部２００７に、この新たなシェーマ図のサムネイルを表示させるようになっている。それにより、編集されたシェーマ図や新規作成されたシェーマ図も含めて、任意の診療日のシェーマ図を一目で把握することが可能である。
【０１１３】
また、医師端末１の制御部１０は、新たなシェーマ図の保存要求に対応して診療情報表示画面２０００を表示させるときに、この診療情報表示画面２０００のシェーマ図表示部２００５に新たなシェーマ図を表示させるようになっている。それにより、ユーザは、編集を施したシェーマ図や新規作成したシェーマ図の確認作業に速やかに移行でき、また、当該シェーマ図を参照して行う診断に速やかに移行することができる。
【０１１４】
また、各患者の電子カルテデータ１１ｃは、各診療日ごとの電子カルテ（診療情報）に分けて形成されている。診療情報表示画面２０００には、当該患者に対する診療日を配列表示する来院歴表示部２００９が設けられている。医師端末１の制御部１０は、配列表示された診療日のうちの１つが操作部１２により選択指定されると、この選択指定された診療日の診療情報を診療情報表示画面２０００に表示させる。具体的には、当該診療日のシェーマ図の１つをシェーマ図表示部２００５に表示させ、サムネイルをサムネイル表示部２００７に配列表示させ、文字所見を文字所見表示部２００６に表示させ、検査の詳細を検査詳細表示部２００４に表示させる。それにより、各診療日ごとの診療情報（シェーマ図、文字所見情報、メモ情報など）の内容を、容易に一目で把握することができる。
【０１１５】
なお、たとえば傷病名、主訴情報、視力値情報、眼圧値情報などの全ての診療日に一貫する情報を除き、異なる診療日のカルテの内容を一画面上に表示させると混乱を招くおそれがあるため望ましくない。本実施形態では、各診療日ごとのカルテの内容を切り替え表示できるので、そのような困難を招くおそれはない。
【０１１６】
［変形例］
以上において説明した構成は、本発明を好適に実施するための一構成例に過ぎないものである。したがって、本発明の要旨の範囲内における任意の変形を適宜施すことが可能である。
【０１１７】
たとえば、患者一覧表示画面１０００に呈示された患者のうちの１人が操作部１２により選択指定されたことに対応して、その患者の診療情報表示画面２０００を表示させるときに、最初に呈示される診療日のカルテにシェーマ図が含まれている場合には、それらのうちの１つをシェーマ図表示部２００５に表示させるように構成することができる。
【０１１８】
上記実施形態においては、患者一覧表示画面１０００から診療情報表示画面２０００に移行するときに、本日のカルテを表示するようになっていたが、過去の診療日（たとえば前回の診療日）のカルテを最初に表示させるように構成してもよい。それにより、過去のカルテの参照作業に速やかに移行することができる。上記の変形例は、このような構成を採用する場合に好適である。
【０１１９】
また、患者一覧表示画面１０００の患者リストに、本日の来院患者以外の患者も含まれている場合にも、上記の変形例は有効と考えられる。たとえば、本日来院しない患者を選択指定したときに、前回の診療日のカルテの内容を呈示する診療情報表示画面２０００を表示するように構成する場合に、前回の診療日に作成したシェーマ図があるときには、そのうちの１つをシェーマ図表示部２００５に表示させるようにする。それにより、過去の診療日のカルテの参照作業に速やかに移行することが可能となる。
【０１２０】
他の変形例として、診療情報表示画面２０００のサムネイル表示部２００７に表示されたサムネイルのうち所望のものを、たとえばダブルクリックすると、そのサムネイルに対応するシェーマ図を編集するためのシェーマ図作成画面３０００（作成作業部３００２に当該シェーマ図を表示したシェーマ図作成画面３０００）が展開されるように構成することが可能である。
【０１２１】
このように、異なる表示画面へ移行するための操作態様を適宜に設定することが可能である。また、各表示画面の表示態様についても適宜に設計することが可能である。
【０１２２】
更に他の変形例として、電子カルテデータＤをサーバ２の管理下に置く代わりに、医師端末１の管理下に置くように構成することもできる。規模の小さな医療機関において本発明の構成を運用する場合などには、サーバを設置せずに、医師端末１のハードディスクドライブなどに電子カルテデータＤを格納するケースも想定される。この変形例は、そのような場合に好適である。
【図面の簡単な説明】
【０１２３】
【図１】本発明に係る診療支援システムの好適な実施形態の全体構成の一例、及び、医師端末（診療支援装置）の機能的構成の一例を表す概略図である。
【図２】本発明に係る診療支援システムの好適な実施形態の医師端末のハードウェア構成の一例を表す概略ブロック図である。
【図３】本発明に係る診療支援システムの好適な実施形態の医師端末が表示する患者一覧表示画面の画面構成の一例を表す概略図である。
【図４】本発明に係る診療支援システムの好適な実施形態の医師端末が表示する診療情報表示画面の画面構成の一例を表す概略図である。
【図５】本発明に係る診療支援システムの好適な実施形態の医師端末が表示するシェーマ図作成画面の画面構成の一例を表す概略図である。
【図６】本発明に係る診療支援システムの好適な実施形態の使用形態の一例を表すフローチャートである。
【符号の説明】
【０１２４】
１  医師端末
１０  制御部
１１  データ記憶部
１１ａ  表示画面データ
１１ｂ  雛形画像データ
１１ｃ  電子カルテデータ
１２  操作部
１３  表示部
１４  サムネイル作成部
２  サーバ
３  データベース
Ｄ  電子カルテデータ
２０  ＣＰＵ
２３  ハードディスクドライブ
２４  ディスプレイ
２５  電子ペン
２６  キーボード
１００  診療支援システム
１０００  患者一覧表示画面
１００１  タブ
１００２  患者リスト表示部
１００３  カルテ検索キー
２０００  診療情報表示画面
２００１  傷病名表示部
２００２  主訴表示部
２００３  検査情報表示部
２００４  検査詳細表示部
２００５  シェーマ図表示部
２００６  文字所見表示部
２００７  サムネイル表示部
２００８  シェーマ図作成キー部
２００９  来院歴表示部
２０１０  診察終了キー
３０００  シェーマ図作成画面
３００１  雛形選択部
３００２  作成作業部
３００３  文字所見入力部
３００４  操作キー部
３００５  前回コピーキー
３００６  ＯＫキー
３００７  キャンセルキー
【図１】
2007094471.tif 000003
【図２】
2007094471.tif 000004
【図３】
2007094471.tif 000005
【図４】
2007094471.tif 000006
【図５】
2007094471.tif 000007
【図６】
2007094471.tif 000008